(57)【要約】【課題】コストの上昇を抑制しつつ、高速に、かつ高精度に等化処理を実行できる無線装置及びその等化方法を提供する。【解決手段】第１の装置と第１の装置と通信線路を介して接続された第２の装置とを有する無線装置において、第１の装置は、第２の装置へ送信するデータ信号の周波数特性を示す参照解析信号を生成する参照信号生成回路を備える。また、第２の装置は、第１の装置から受信したデータ信号の周波数特性を示す周波数解析信号を生成する解析信号生成回路、参照解析信号と周波数解析信号との差を示す伝送路推定値を求める比較回路、並びに伝送路推定値が示す周波数特性の逆特性を用いて第１の装置から受信したデータ信号の周波数特性を等化する等化回路を備える。【選択図】図１
2017085403.tif 000002
【特許請求の範囲】
【請求項１】
第１の装置と、前記第１の装置と通信線路を介して接続された第２の装置とを有する無線装置であって、
前記第１の装置は、
前記第２の装置へ送信するデータ信号の周波数特性を示す参照解析信号を生成する参照信号生成回路を備え、
前記第２の装置は、
前記第１の装置から受信した前記データ信号の周波数特性を示す周波数解析信号を生成する解析信号生成回路、前記参照解析信号と前記周波数解析信号との差を示す伝送路推定値を求める比較回路、並びに前記伝送路推定値が示す周波数特性の逆特性を用いて前記第１の装置から受信した前記データ信号の周波数特性を等化する等化回路を備える無線装置。
【請求項２】
第１の装置と、前記第１の装置と通信線路を介して接続された第２の装置とを有する無線装置であって、
前記第２の装置は、
前記第１の装置から受信したデータ信号の周波数特性を示す周波数解析信号を生成する解析信号生成回路を備え、
前記第１の装置は、
前記第２の装置へ送信する前記データ信号の周波数特性を示す参照解析信号を生成する参照信号生成回路、前記参照解析信号と前記周波数解析信号との差を示す伝送路推定値を求める比較回路、並びに前記伝送路推定値が示す周波数特性の逆特性を用いて前記第２の装置へ送信する前記データ信号の周波数特性を等化する等化回路を備える無線装置。
【請求項３】
前記解析信号生成回路は、
前記等化回路から出力された前記データ信号を用いて前記周波数解析信号を生成する請求項１記載の無線装置。
【請求項４】
前記解析信号生成回路は、
前記等化回路へ入力される前記データ信号を用いて前記周波数解析信号を生成する請求項１記載の無線装置。
【請求項５】
前記参照信号生成回路は、
前記等化回路から出力された前記データ信号を用いて前記参照解析信号を生成する請求項２記載の無線装置。
【請求項６】
前記参照信号生成回路は、
前記等化回路へ入力される前記データ信号を用いて前記参照解析信号を生成する請求項２記載の無線装置。
【請求項７】
前記参照信号生成回路は、
既知の信号系列から成るトレーニング信号を用いて前記参照解析信号を生成し、
前記解析信号生成回路は、
前記トレーニング信号を用いて前記周波数解析信号を生成する請求項１から６のいずれか１項に記載の無線装置。
【請求項８】
前記参照信号生成回路は、
前記参照解析信号を複数回取得し、
前記解析信号生成回路は、
前記周波数解析信号を複数回取得し、
前記比較回路は。
複数の前記伝送路推定値を求め、前記複数の前記伝送路推定値の平均値が示す周波数特性の逆特性を前記等化に用いる請求項１から７のいずれか１項に記載の無線装置。
【請求項９】
第１の装置と、前記第１の装置と通信線路を介して接続された第２の装置とを有する無線装置における、前記第１の装置から前記第２の装置へ送信されたデータ信号の周波数特性を等化するための等化方法であって、
前記第１の装置が、
送信対象であるデータ信号の周波数特性を示す参照解析信号を生成し、
前記第２の装置が、
前記第１の装置から受信した前記データ信号の周波数特性を示す周波数解析信号を生成し、
前記参照解析信号と前記周波数解析信号との差を示す伝送路推定値を求め、
前記伝送路推定値が示す周波数特性の逆特性を用いて前記第１の装置から受信した前記データ信号の周波数特性を等化する等化方法。
【請求項１０】
第１の装置と、前記第１の装置と通信線路を介して接続された第２の装置とを有する無線装置における、前記第１の装置から前記第２の装置へ送信されたデータ信号の周波数特性を等化するための等化方法であって、
前記第２の装置が、
前記第１の装置から受信したデータ信号の周波数特性を示す周波数解析信号を生成し、
前記第１の装置が、
前記第２の装置へ送信する前記データ信号の周波数特性を示す参照解析信号を生成し、
前記参照解析信号と前記周波数解析信号との差を示す伝送路推定値を求め、
前記伝送路推定値が示す周波数特性の逆特性を用いて前記第２の装置へ送信する前記データ信号の周波数特性を等化する等化方法。
【発明の詳細な説明】
【技術分野】
【０００１】
本発明は無線装置及びその等化方法に関する。
【背景技術】
【０００２】
モバイルバックホール用のスプリット型無線装置は、屋内に設置される局舎内装置（ＩＤＵ：Indoor Unit）と、屋外タワーに設置されてアンテナと接続される局舎外装置（ＯＤＵ：Outdoor Unit）とによって構成される。ＩＤＵとＯＤＵとは同軸ケーブルで接続されて互いにデータ信号や制御信号等が送受信される。モバイルバックホール用のスプリット型無線装置には、ＩＤＵとＯＤＵとの間で電源用の直流電圧が送受信される構成もある。
【０００３】
これらＩＤＵとＯＤＵ間で送受信されるデータ信号や制御信号等のベースバンド信号は、一般に数百ＭＨｚ以下の周波数である。ＩＤＵとＯＤＵ間では、複数の周波数帯（チャネル）毎のベースバンド信号がＩＤＵ及びＯＤＵが備えるマルチプレクサによって周波数分割多重されて送受信される。なお、ＯＤＵによりアンテナを介して送受信される無線信号には、例えば６〜４２ＧＨｚの周波数帯のＲＦ（Radio Frequency）信号が用いられる。
【０００４】
このようなモバイルバックホール用の無線装置では、近年のネットワークキャパシティの増加要求に伴って、ＩＤＵとＯＤＵ間で送受信されるチャネル毎のベースバンド信号の広帯域化が進んでいる。例えば、ベースバンド信号の帯域幅は５６ＭＨｚ程度から１１２ＭＨｚ程度まで拡大している。そのため、ＩＤＵとＯＤＵ間で送受信されるベースバンド信号の周波数特性の平坦性が劣化し、スペクトラム波形が歪んだり、Ｓ／Ｎ（Signal-to-Noise Ratio）が劣化したりする問題が顕著になってきている。ＩＤＵとＯＤＵ間で送受信されるベースバンド信号の周波数特性の平坦性は、主として上記マルチプレクサや同軸ケーブルを含む伝送路の周波数特性に起因して劣化する。
【０００５】
通常、ＯＤＵには、この周波数特性の平坦性を補償するために、周知のデジタルフィルタから成る等化回路が設けられている。従来の等化回路による補償方法には、予め決められた補償係数（フィルタ係数）を用いる固定等化法と、伝送路を介して受信した受信信号のみから該伝送路の周波数特性を推定して補償係数を最適に決定・適用するブラインド等化法とがある。
【０００６】
しかしながら、上述した固定等化法は、装置や伝送路毎に周波数特性が異なる場合、十分に等化できずに周波数特性の平坦性が必ずしも得られないという課題がある。一方、ブラインド等化法は、等化性能と等化処理の追従速度とがトレードオフの関係にあり、それらを両立させるには高性能な信号処理回路が必要であるため、等化回路のコストが上昇する課題がある。
【０００７】
なお、ＩＤＵとＯＤＵとから構成されるモバイルバックホール用のスプリット型無線装置については、特許文献１にも記載されている。また、伝送路の等化器については、例えば特許文献２に記載されている。
特許文献２には、予め伝送路の周波数特性を測定し、その補正係数をＲＯＭ（Read Only Memory）に格納しておき、被伝送信号の伝送時に対応する補正係数をＲＯＭから読み出し、該補正係数を用いて再生した信号と被伝送信号とを乗算することで伝送路の周波数特性を補正する伝送路等化器が記載されている。
【先行技術文献】
【特許文献】
【０００８】
【特許文献１】欧州特許出願公開第２６００６８５号明細書
【特許文献２】特開平８−２５１１３４号公報
【発明の概要】
【発明が解決しようとする課題】
【０００９】
上述したように、固定等化法は、装置や伝送路毎に周波数特性が異なる場合、十分に等化できずに周波数特性の平坦性が必ずしも得られないという課題がある。一方、ブラインド等化法は、等化性能と等化処理の追従速度とがトレードオフの関係にあり、それらを両立させるには高性能な信号処理回路が必要であるため、等化回路のコストが上昇する課題がある。上記特許文献２に記載の技術は、固定等化法の一例を示すものであり、上記の課題を解決できるものではない。
【００１０】
本発明は上述したような背景技術が有する課題を解決するためになされたものであり、コストの上昇を抑制しつつ、高速に、かつ高精度に等化処理を実行できる無線装置及びその等化方法を提供することを目的とする。
【課題を解決するための手段】
【００１１】
上記課題を解決するため本発明の無線装置は、第１の装置と、前記第１の装置と通信線路を介して接続された第２の装置とを有する無線装置であって、
前記第１の装置は、
前記第２の装置へ送信するデータ信号の周波数特性を示す参照解析信号を生成する参照信号生成回路を備え、
前記第２の装置は、
前記第１の装置から受信した前記データ信号の周波数特性を示す周波数解析信号を生成する解析信号生成回路、前記参照解析信号と前記周波数解析信号との差を示す伝送路推定値を求める比較回路、並びに前記伝送路推定値が示す周波数特性の逆特性を用いて前記第１の装置から受信した前記データ信号の周波数特性を等化する等化回路を備える。
または、上記課題を解決するため本発明の無線装置は、第１の装置と、前記第１の装置と通信線路を介して接続された第２の装置とを有する無線装置であって、
前記第２の装置は、
前記第１の装置から受信したデータ信号の周波数特性を示す周波数解析信号を生成する解析信号生成回路を備え、
前記第１の装置は、
前記第２の装置へ送信する前記データ信号の周波数特性を示す参照解析信号を生成する参照信号生成回路、前記参照解析信号と前記周波数解析信号との差を示す伝送路推定値を求める比較回路、並びに前記伝送路推定値が示す周波数特性の逆特性を用いて前記第２の装置へ送信する前記データ信号の周波数特性を等化する等化回路を備える。
一方、上記課題を解決するため本発明の等化方法は、第１の装置と、前記第１の装置と通信線路を介して接続された第２の装置とを有する無線装置における、前記第１の装置から前記第２の装置へ送信されたデータ信号の周波数特性を等化するための等化方法であって、
前記第１の装置が、
送信対象であるデータ信号の周波数特性を示す参照解析信号を生成し、
前記第２の装置が、
前記第１の装置から受信した前記データ信号の周波数特性を示す周波数解析信号を生成し、
前記参照解析信号と前記周波数解析信号との差を示す伝送路推定値を求め、
前記伝送路推定値が示す周波数特性の逆特性を用いて前記第１の装置から受信した前記データ信号の周波数特性を等化する方法である。
または、上記課題を解決するため本発明の等化方法は、第１の装置と、前記第１の装置と通信線路を介して接続された第２の装置とを有する無線装置における、前記第１の装置から前記第２の装置へ送信されたデータ信号の周波数特性を等化するための等化方法であって、
前記第２の装置が、
前記第１の装置から受信したデータ信号の周波数特性を示す周波数解析信号を生成し、
前記第１の装置が、
前記第２の装置へ送信する前記データ信号の周波数特性を示す参照解析信号を生成し、
前記参照解析信号と前記周波数解析信号との差を示す伝送路推定値を求め、
前記伝送路推定値が示す周波数特性の逆特性を用いて前記第２の装置へ送信する前記データ信号の周波数特性を等化する方法である。
【発明の効果】
【００１２】
本発明によれば、コストの上昇を抑制しつつ、高速に、かつ高精度に等化処理を実行できる。
【図面の簡単な説明】
【００１３】
【図１】第１の実施の形態の無線装置の一構成例を示すブロック図である。
【図２】第２の実施の形態の無線装置の一構成例を示すブロック図である。
【図３】本発明の無線装置の第１実施例の構成を示すブロック図である。
【図４】図３に示した無線装置の動作の一例を時系列に示す模式図である。
【図５】図３に示した無線装置による等化処理の一例を示す模式図である。
【図６】等化処理に用いるトレーニング信号のフォーマットの一例を示す模式図である。
【図７】本発明の無線装置の第２実施例の構成を示すブロック図である。
【図８】本発明の無線装置の第３実施例の構成を示すブロック図である。
【図９】本発明の無線装置の第４実施例の構成を示すブロック図である。
【発明を実施するための形態】
【００１４】
次に本発明について図面を用いて説明する。
（第１の実施の形態）
図１は、第１の実施の形態の無線装置の一構成例を示すブロック図である。
図１に示すように、第１の実施の形態の無線装置は、第１の装置１と第２の装置２とを備え、第１の装置１と第２の装置２とが通信線路３を介して接続された構成である。
第１の装置１は、第２の装置２へ送信するデータ信号の周波数特性を示す参照解析信号を生成する参照信号生成回路１１を備えている。
第２の装置２は、第１の装置１から受信したデータ信号の周波数特性を示す周波数解析信号を生成する解析信号生成回路２１と、参照解析信号と周波数解析信号との差を示す伝送路推定値を求める比較回路２２と、伝送路推定値が示す周波数特性の逆特性を用いて第１の装置１から受信したデータ信号の周波数特性を等化する等化回路２３とを備えている。なお、図１では、解析信号生成回路２１が、等化回路２３から出力されたデータ信号を用いて周波数解析信号を生成する構成例を示している。解析信号生成回路２１は、等化回路２３へ入力されるデータ信号から周波数解析信号を生成してもよい。
（第２の実施の形態）
図２は、第２の実施の形態の無線装置の一構成例を示すブロック図である。
図２に示すように、第２の実施の形態の無線装置は、第１の装置４と第２の装置５とを備え、第１の装置４と第２の装置５とが通信線路６を介して接続された構成である。
第２の装置５は、第１の装置４から受信したデータ信号の周波数特性を示す周波数解析信号を生成する解析信号生成回路５１を備えている。
第１の装置４は、第２の装置５へ送信するデータ信号の周波数特性を示す参照解析信号を生成する参照信号生成回路４１と、参照解析信号と周波数解析信号との差を示す伝送路推定値を求める比較回路４２と、伝送路推定値が示す周波数特性の逆特性を用いて第２の装置５へ送信するデータ信号の周波数特性を等化する等化回路４３とを備えている。なお、図１では、参照信号生成回路４１が、等化回路４３から出力されたデータ信号を用いて参照解析信号を生成する構成例を示している。参照信号生成回路４１は、等化回路４３へ入力されるデータ信号から参照解析信号を生成してもよい。
【実施例】
【００１５】
（第１実施例）
第１実施例では、モバイルバックホール用のスプリット型無線装置を例にして、図１に示した第１の実施の形態の無線装置の具体的な構成及び動作を示す。
図３は、本発明の無線装置の第１実施例の構成を示すブロック図である。
図３に示すように、第１実施例の無線装置は、ＩＤＵ１００とＯＤＵ２００とを備え、ＩＤＵ１００とＯＤＵ２００とが同軸ケーブル１１１で接続された構成である。本実施例のＩＤＵ１００は図１に示した第１の装置１の一例であり、ＯＤＵ２００は図１に示した第２の装置２の一例であり、同軸ケーブル１１１は図１に示した通信線路３の一例である。
ＩＤＵ１００は、データ信号生成回路（Ｉ／Ｑ）１０１、参照信号生成回路（ＦＦＴ）１０２、Ｄ／Ａ変換回路（ＤＡＣ）１０３、Ａ／Ｄ変換回路（ＡＤＣ）１０４及びマルチプレクサ１０５を備える。ＩＤＵ１００のデータ信号生成回路１０１及び参照信号生成回路１０２の機能は、例えば周知のＤＳＰ（Digital Signal Processor）１０６で実現される。
【００１６】
データ信号生成回路１０１は、図３に示す無線装置の送信対象となるデータ信号（ベースバンド信号）を生成する。図３では、データ信号生成回路１０１がＩ（In-phase）信号（同相信号）及びＱ（Quadrature）信号（直交信号）から成るデータ信号を生成する構成例を示している。
参照信号生成回路１０２は、データ信号生成回路１０１で生成されたデータ信号を、例えばＦＦＴ（Fast Fourier Transform）処理することで、該データ信号の周波数特性を示す参照解析信号を生成する。
Ｄ／Ａ変換回路１０３は、データ信号生成回路１０１で生成されたデータ信号をＤ／Ａ（Digital to Analog）変換する。
【００１７】
マルチプレクサ１０５は、Ｄ／Ａ変換後の所定の周波数帯毎のデータ信号（ベースバンド信号）を周波数分割多重し、同軸ケーブル１１１を介してＯＤＵ２００へ出力する。また、マルチプレクサ１０５は、ＯＤＵ２００から受信した信号を所定の周波数帯毎のデータ信号（ベースバンド信号）に分割する。さらに、マルチプレクサ１０５は、参照信号生成回路１０２で生成された参照解析信号を、同軸ケーブル１１１を介してＯＤＵ２００へ送信する。
【００１８】
Ａ／Ｄ変換回路１０４は、ＯＤＵ２００から受信し、マルチプレクサ１０５で周波数分割されたデータ信号（ベースバンド信号）をＡ／Ｄ（Analog to Digital）変換する。Ａ／Ｄ変換後のデータ信号はＩＤＵ１００が備えるＤＳＰ１０６に供給され、ＤＳＰ１０６により所要の信号処理（復調、復号、誤り訂正等）が実施される。
【００１９】
ＯＤＵ２００は、マルチプレクサ１２１、第１のＡ／Ｄ変換回路（ＡＤＣ）１２２、第１のＤ／Ａ変換回路（ＤＡＣ）１２３、等化回路（ＥＱ）１２４、解析信号生成回路（ＦＥＴ）１２５、比較回路（ＣＭＰ）１２６、第２のＤ／Ａ変換回路（ＤＡＣ）１２７、第２のＡ／Ｄ変換回路（ＡＤＣ）１２８、アップコンバータ１２９、ダウンコンバータ１３０及びＲＦデュプレクサ１３１を備える。ＯＤＵ２００には、ＲＦデュプレクサ１３１を介してアンテナ１４０が接続される。ＯＤＵ２００の等化回路１２４、解析信号生成回路１２５及び比較回路１２６の機能は、例えばＤＳＰ１３２で実現される。
【００２０】
マルチプレクサ１２１は、同軸ケーブル１１１を介してＩＤＵ１００から受信した信号を所定の周波数帯毎のデータ信号（ベースバンド信号）に分割する。
第１のＡ／Ｄ変換回路１２２は、ＩＤＵ１００から受信し、マルチプレクサ１０５で周波数分割されたデータ信号をＡ／Ｄ変換する。
【００２１】
等化回路１２４は、第１のＡ／Ｄ変換回路１２２から出力されたデータ信号に対し、その周波数特性を平坦化する等化処理を実行する。等化回路１２４で等化処理されたデータ信号は、ＤＳＰ１３２により所要の信号処理（フィルタリング等）が実行された後、第２のＤ／Ａ変換回路１２７へ入力される。
解析信号生成回路１２５は、等化回路１２４から出力されたデータ信号を、例えばＦＦＴ処理することで、該データ信号の周波数特性を示す周波数解析信号を生成する。
【００２２】
比較回路１２６は、ＩＤＵ１００から受け取った参照解析信号と、解析信号生成回路１２５で生成された周波数解析信号とを比較し、その差（伝送路推定値）を出力する。等化回路１２４は、比較回路１２６から出力された参照解析信号と周波数解析信号との差に基づいて等化処理を実行する。本実施形態の無線装置は、等化回路１２４の出力信号から周波数解析信号を生成し、該周波数解析信号と参照解析信号との比較結果を等化回路１２４へ供給するフィードバック制御を行う構成である。
【００２３】
第２のＤ／Ａ変換回路１２７は、ＤＳＰ１３２から出力されたデータ信号（ベースバンド信号）をＤ／Ａ変換する。
アップコンバータ１２９は、第２のＤ／Ａ変換回路１２７から出力されたデータ信号（ベースバンド信号）を無線通信用の搬送波を用いてＲＦ信号に変換する。
ＲＦデュプレクサ１３１は、アップコンバータ１２９から出力されたＲＦ信号をアンテナ１４０へ出力する。また、ＲＦデュプレクサ１３１は、アンテナ１４０で受信したＲＦ信号をダウンコンバータ１３０へ出力する。
【００２４】
ダウンコンバータ１３０は、アンテナ１４０で受信したＲＦ信号を無線通信用の搬送波を用いてベースバンド信号（データ信号）に変換する。
第２のＡ／Ｄ変換回路１２８は、ダウンコンバータ１３０から出力されたベースバンド信号をＡ／Ｄ変換する。Ａ／Ｄ変換後のデータ信号は、ＯＤＵ２００が備えるＤＳＰ１３２に供給され、ＤＳＰ１３２により所要の信号処理（フィルタリング、増幅等）が実行される。
【００２５】
第１のＤ／Ａ変換回路１２３は、ＤＳＰ１３２で処理されたデータ信号をＤ／Ａ変換する。Ｄ／Ａ変換後のデータ信号は、マルチプレクサ１２１で周波数分割多重され、同軸ケーブル１１１を介してＩＤＵ１００へ送信される。
【００２６】
次に、第１実施例の無線装置の動作について図面を用いて説明する。
図４は図３に示した無線装置の動作の一例を時系列に示す模式図であり、図５は図３に示した無線装置による等化処理の一例を示す模式図である。図５の各波形は、ベースバンド信号（データ信号）の周波数特性（電力対周波数）を模式的に示したものである。
【００２７】
図４に示すように、ＩＤＵ１００は、ＯＤＵ２００へ送信するデータ信号（IDU Tx Output）のうち、予め決められた所定期間のデータ信号をＦＦＴ処理することで参照解析信号を生成し、該データ信号及び参照解析信号をそれぞれＯＤＵ２００へ送信する。ＯＤＵ２００は、ＩＤＵ１００から受信したデータ信号（ODU Tx Input）のうち、予め決められた、ＩＤＵ１００と同じ所定期間のデータ信号をＦＦＴ処理することで周波数解析信号を生成する。
【００２８】
ＯＤＵ２００で生成する周波数解析信号は、ＩＤＵ１００で生成された参照解析信号に、ＩＤＵ１００とＯＤＵ２００間の伝送路の周波数特性が重畳（加算）された信号である。したがって、比較回路（Compare）１２６で求める周波数解析信号と参照解析信号との差（伝送路推定値）は、ＩＤＵ１００とＯＤＵ２００間の伝送路の周波数特性に相当することが分かる。
【００２９】
等化回路１２４は、比較回路１２６から伝送路推定値を取得すると、以降、該伝送路推定値を用いてＩＤＵ１００から受信したデータ信号（ODU Tx Input）の等化処理を行う。等化回路１２４は、上述したように、例えば周知のデジタルフィルタで構成され、その各フィルタ係数が、上記伝送路推定値が示す周波数特性の逆特性となるように設定される。そのようなフィルタ係数は、伝送路推定値が示す周波数特性の逆特性をＩＦＦＴ（Inverse FFT）することで求めることができる。
例えば、図５に示すようにＩＤＵ１００から送信するデータ信号（IDU Tx Output FFT）から生成した参照解析信号が平坦な周波数特性を示し、ＯＤＵ２００が受信したデータ信号（ODU Tx Input）から生成した周波数解析信号が、周波数が低くなるにしたがって電力が小さくなる周波数特性を示すものとする。この場合、伝送路推定値が示す周波数特性（Estimated IDU-ODU Freq Response）の逆特性（Inverse Response）は、周波数が低くなるにしたがって電力が大きくなる特性となる。
【００３０】
このように周波数解析信号と参照解析信号との差（伝送路推定値）に基づいて等化回路１２４に入力された信号の周波数特性を補正することで、ＩＤＵ１００から受信したデータ信号を高精度に等化できる。また、周波数解析信号や参照解析信号を生成するためのＦＦＴ処理やＩＦＦＴ処理は、比較的安価なＤＳＰ等を用いて実現することが可能であり、また高速に処理することができる。したがって、コストの上昇を抑制しつつ、ＩＤＵ１００から受信したデータ信号を高速に、かつ高精度に等化できる。
【００３１】
なお、ＩＤＵ１００とＯＤＵ２００間の伝送路の周波数特性は、一般に、運用を開始した後は変わらないと考えられる。そのため、伝送路推定値は、運用開始時や故障等によってＩＤＵ１００、ＯＤＵ２００、同軸ケーブル１１１等を交換したときに求めればよい。また、伝送路推定値は、定期的に、あるいは無線装置の管理者等からの指示にしたがって導出・更新してもよい。
【００３２】
また、図２では、周波数解析信号、参照解析信号及び伝送路推定値をそれぞれ一度だけ算出する動作例を示しているが、周波数解析信号、参照解析信号及び伝送路推定値は、それぞれ複数回求めてもよい。その場合、等化回路１２４により、複数の伝送路推定値の、例えば平均値を用いて等化すれば、等化処理の精度を向上させることができる。
【００３３】
また、図２では通常時のデータ信号を用いて伝送路推定値を算出する例を示しているが、既知の信号系列から成るトレーニング信号を用いて参照解析信号、伝送路推定値及び伝送路推定値をそれぞれ算出してもよい。その場合、図６に示すように、該トレーニング信号をＩＤＵ１００からＯＤＵ２００へ複数回繰り返し送信し、参照解析信号、伝送路推定値及び伝送路推定値を、それぞれ複数回算出してもよい。
【００３４】
（第２実施例）
図７は、本発明の無線装置の第２実施例の構成を示すブロック図である。
第２実施例の無線装置は、ＯＤＵ２００が備える等化回路１２４、解析信号生成回路１２５及び比較回路１２６の接続関係が第１実施例の無線装置と異なっている。
【００３５】
図７に示すように、第２実施例の無線装置では、第１のＡ／Ｄ変換回路１２２でディジタル信号に変換されたベースバンド信号が等化回路１２４及び解析信号生成回路１２５へそれぞれ入力される。比較回路１２６は、ＩＤＵ１００から受信した参照解析信号と、解析信号生成回路１２５で生成された周波数解析信号とを比較し、その差を示す伝送路推定値を出力する。等化回路１２４は、比較回路１２６から出力された伝送路推定値に基づいて等化処理を実行する。
【００３６】
第２実施例の無線装置は、等化回路１２４の入力信号から周波数解析信号を生成し、該周波数解析信号と参照解析信号との比較結果を等化回路１２４へ供給するフィードフォワード制御を行う構成である。その他の構成及び動作は第１実施例と同様であるため、その説明は省略する。
【００３７】
第２実施例の無線装置においても、第１実施例と同様に、コストの上昇を抑制しつつ、ＩＤＵ１００から受信したデータ信号を高速に、かつ高精度に等化できる。
また、第２実施例の無線装置では、ＯＤＵ２００が備える等化回路１２４、解析信号生成回路１２５及び比較回路１２６がフィードバックループを形成しない。そのため、第１実施例の無線装置よりも安定して動作する。
【００３８】
（第３実施例）
第３実施例では、モバイルバックホール用のスプリット型無線装置を例にして、図２に示した第２の実施の形態の無線装置の具体的な構成及び動作を示す。
図８は、本発明の無線装置の第３実施例の構成を示すブロック図である。
図８に示すように、第３実施例の無線装置は、ＩＤＵ１００が備えるＤＳＰ１０６でデータ信号生成回路１０１及び参照信号生成回路１０２の機能を実現すると共に、等化回路１２４及び比較回路１２６の機能も実現する構成である。ＯＤＵ２００が備えるＤＳＰ１３２は、解析信号生成回路１２５の機能のみを実現する。解析信号生成回路１２５で生成された周波数解析信号は、マルチプレクサ１２１及び同軸ケーブル１１１を介してＩＤＵ１００へ送信される。
本実施例のＩＤＵ１００は図２に示した第１の装置４の一例であり、ＯＤＵ２００は図２に示した第２の装置５の一例であり、同軸ケーブル１１１は図２に示した通信線路６の一例である。
【００３９】
ＩＤＵ１００は、データ信号生成回路１０１で生成されたデータ信号を等化回路１２４へ供給する。等化回路１２４から出力されたデータ信号は、Ｄ／Ａ変換回路１０３及び参照信号生成回路１０２へ供給され、参照信号生成回路１０２で生成された参照解析信号は比較回路１２６へ供給される。
比較回路１２６は、ＯＤＵ２００から受信した周波数解析信号と参照信号生成回路１０２で生成された参照解析信号とを比較し、その差を示す伝送路推定値を出力する。等化回路１２４は比較回路１２６から出力された伝送路推定値に基づいてデータ信号生成回路１０１で生成されたデータ信号の等化処理を実行する。その他の構成及び動作は第１の実施の形態と同様であるため、その説明は省略する。
【００４０】
第３実施例で示すように、ＩＤＵ１００が備えるＤＳＰ１０６で等化回路１２４及び比較回路１２６の機能を実現する構成でも、ＩＤＵ１００とＯＤＵ２００間の伝送路の周波数特性を推定することが可能であり、第１実施例と同様に、コストの上昇を抑制しつつ、ＩＤＵ１００から受信したデータ信号を高速に、かつ高精度に等化できる。
また、第３実施例の無線装置では、ＯＤＵ２００の処理が軽減するため、ＯＤＵ２００の回路規模を削減できる。
【００４１】
（第４実施例）
図９は、本発明の無線装置の第４実施例の構成を示すブロック図である。
図９に示すように、第４実施例の無線装置は、第３実施例と同様に、ＩＤＵ１００が備えるＤＳＰ１０６でデータ信号生成回路１０１及び参照信号生成回路１０２の機能を実現すると共に、等化回路１２４及び比較回路１２６の機能も実現する構成である。ＯＤＵ２００が備えるＤＳＰ１３２は、解析信号生成回路１２５の機能のみを実現する。解析信号生成回路１２５で生成された周波数解析信号は、マルチプレクサ１２１及び同軸ケーブル１１１を介してＩＤＵ１００へ送信される。但し、第４実施例の無線装置は、参照信号生成回路１０２、等化回路１２４及び比較回路１２６の接続関係が第３実施例の無線装置と異なっている。
【００４２】
ＩＤＵ１００は、データ信号生成回路１０１で生成されたデータ信号を等化回路１２４及び参照信号生成回路１０２へ供給する。
比較回路１２６は、ＯＤＵ２００から受信した周波数解析信号と参照信号生成回路１０２で生成された参照解析信号とを比較し、その差を示す伝送路推定値を出力する。等化回路１２４は比較回路１２６から出力された伝送路推定値に基づいてデータ信号生成回路１０１で生成されたデータ信号の等化処理を実行する。
すなわち、第４実施例の無線装置は、等化回路１２４の入力信号から参照解析信号を生成し、該参照解析信号と周波数解析信号との比較結果を等化回路１２４へ供給するフィードフォワード制御を行う構成である。その他の構成及び動作は第３実施例と同様であるため、その説明は省略する。
【００４３】
第４実施例の無線装置によれば、第２実施例の無線装置と同様に、ＩＤＵ１００が備える参照信号生成回路１０２、等化回路１２４及び比較回路１２６がフィードバックループを形成しない。そのため、第３実施例の無線装置よりも安定して動作する。
また、第４実施例の無線装置では、第３実施例と同様にＯＤＵ２００の処理が軽減するため、ＯＤＵ２００の回路規模を削減できる。
【００４４】
なお、図３及び図７〜９に示した無線装置は、本発明に関連する構成要素のみを示している。実際の無線装置は、図３及び図７〜９に示した構成に加えてその他の処理を実行するための回路も含まれる。また、図３及び図７〜９は、周波数分割多重方式の無線装置において、単一のベースバンド信号毎に等化処理を実行するための構成例を示している。本発明は、図３及び図７〜９に示した構成に限らず、時分割多重方式の無線装置、あるいは複数のベースバンド信号毎に等化処理を実行する構成にも適用可能である。
【符号の説明】
【００４５】
１、４    第１の装置
２、５    第２の装置
３、６    通信線路
１１、４１、１０２    参照信号生成回路
２１、５１、１２５    解析信号生成回路
２２、４２、１２６    比較回路
２３、４３、１２４    等化回路
１００    ＩＤＵ
２００    ＯＤＵ
１０１    データ信号生成回路
１０３    Ｄ／Ａ変換回路
１０４    Ａ／Ｄ変換回路
１０５、１２１    マルチプレクサ
１０６、１３２    ＤＳＰ
１１１    同軸ケーブル
１２２    第１のＡ／Ｄ変換回路
１２３    第１のＤ／Ａ変換回路
１２７    第２のＤ／Ａ変換回路
１２８    第２のＡ／Ｄ変換回路
１２９    アップコンバータ
１３０    ダウンコンバータ
１３１    ＲＦデュプレクサ
１４０    アンテナ
【図１】
2017085403.tif 000003
【図２】
2017085403.tif 000004
【図３】
2017085403.tif 000005
【図４】
2017085403.tif 000006
【図５】
2017085403.tif 000007
【図６】
2017085403.tif 000008
【図７】
2017085403.tif 000009
【図８】
2017085403.tif 000010
【図９】
2017085403.tif 000011